【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
入力された画像信号に輪郭強調処理を施す画像処理装置であって、
画像の輪郭を強調するための輪郭強調信号を出力する輪郭強調信号出力手段と、
前記画像信号の画素毎に、その画素を注目画素とし、前記注目画素と同じライン上において該注目画素を挟む２つの第１画素の画素値の差分の絶対値を第１差分値として算出する第１差分値算出手段と、
前記注目画素と同じライン上において、前記２つの第１画素の前記注目画素側とは反対の側にそれぞれ位置する２つの第２画素の画素値の差分の絶対値を第２差分値として算出する第２差分値算出手段と、
前記第１差分値から前記第２差分値に基づく値を減算した値をエッジ調整係数として出力するエッジ調整係数算出手段と、
前記輪郭強調信号に前記エッジ調整係数を乗算することにより、前記輪郭強調信号を補正する補正手段と、
前記画像信号に前記補正された輪郭強調信号を加算する加算手段と、
を有することを特徴とする画像処理装置。
【請求項２】
前記注目画素と同じライン上において、前記２つの第２画素の前記注目画素側とは反対の側にそれぞれ位置する２つの第３画素の画素値の差分の絶対値を第３差分値として算出する第３差分値算出手段と、
第２の値から前記第３差分値を減算した値をディテール調整係数として出力するディテール調整係数算出手段と、
前記輪郭強調信号に前記ディテール調整係数を乗算した値を、ディテール強調信号として出力するディテール強調信号算出手段と、
を更に有し、
前記加算手段は、前記画像信号に前記補正された輪郭強調信号と前記ディテール強調信号を加算する
ことを特徴とする請求項１に記載の画像処理装置。
【請求項３】
１つの画素に対する輪郭強調信号は、複数の画素の画素値を用いて算出された信号であり、
前記２つの第３画素間の間隔は、１つの画素に対する輪郭強調信号を算出する際に参照される画素の範囲よりも大きい
ことを特徴とする請求項２に記載の画像処理装置。
【請求項４】
画像の輪郭を強調するための輪郭強調信号を生成する生成手段と、
入力された画像信号における低階調値から高階調値への階調値の変化度合い、及び、前記画像信号における高階調値から低階調値への階調値の変化度合いの少なくとも一方に応じて、前記輪郭強調信号を補正する第１の補正手段と、
前記補正された輪郭強調信号に基づいて、前記画像信号を補正する第２の補正手段と、を有することを特徴とする画像処理装置。
【請求項５】
前記第１の補正手段は、前記画像信号における低階調値から高階調値への階調値の変化度合い、及び、前記画像信号における高階調値から低階調値への階調値の変化度合いの少なくとも一方に応じて、前記輪郭強調信号の影響を受ける画像領域を狭める
ことを特徴とする請求項４に記載の画像処理装置。
【請求項６】
前記第２の補正手段は、前記画像信号に前記補正された輪郭強調信号を加算することにより、前記画像信号を補正する
ことを特徴とする請求項４または５に記載の画像処理装置。
【請求項７】
前記階調値は輝度値である
ことを特徴とする請求項４〜６のいずれか１項に記載の画像処理装置。
【請求項８】
入力された画像信号に輪郭強調処理を施す画像処理装置により実行される画像処理方法であって、
画像の輪郭を強調するための輪郭強調信号を出力する輪郭強調信号出力ステップと、
前記画像信号の画素毎に、その画素を注目画素とし、前記注目画素と同じライン上において該注目画素を挟む２つの第１画素の画素値の差分の絶対値を第１差分値として算出する第１差分値算出ステップと、
前記注目画素と同じライン上において、前記２つの第１画素の前記注目画素側とは反対の側にそれぞれ位置する２つの第２画素の画素値の差分の絶対値を第２差分値として算出する第２差分値算出ステップと、
前記第１差分値から前記第２差分値に基づく値を減算した値をエッジ調整係数として出力するエッジ調整係数算出ステップと、
前記輪郭強調信号に前記エッジ調整係数を乗算することにより、前記輪郭強調信号を補正する補正ステップと、
前記画像信号に前記補正された輪郭強調信号を加算する加算ステップと、
を有することを特徴とする画像処理方法。
【請求項９】
画像処理装置により実行される画像処理方法であって、
画像の輪郭を強調するための輪郭強調信号を生成する生成ステップと、
入力された画像信号における低階調値から高階調値への階調値の変化度合い、及び、前記画像信号における高階調値から低階調値への階調値の変化度合いの少なくとも一方に応じて、前記輪郭強調信号を補正する第１の補正ステップと、
前記補正された輪郭強調信号に基づいて、前記画像信号を補正する第２の補正ステップと、
を有することを特徴とする画像処理方法。
【手続補正２】
【補正対象書類名】明細書
【補正対象項目名】０００６
【補正方法】変更
【補正の内容】
【０００６】
本発明の第１の態様は、入力された画像信号に輪郭強調処理を施す画像処理装置であって、画像の輪郭を強調するための輪郭強調信号を出力する輪郭強調信号出力手段と、前記画像信号の画素毎に、その画素を注目画素とし、前記注目画素と同じライン上において該注目画素を挟む２つの第１画素の画素値の差分の絶対値を第１差分値として算出する第１差分値算出手段と、前記注目画素と同じライン上において、前記２つの第１画素の前記注目画素側とは反対の側にそれぞれ位置する２つの第２画素の画素値の差分の絶対値を第２差分値として算出する第２差分値算出手段と、前記第１差分値から前記第２差分値に基づく値を減算した値をエッジ調整係数として出力するエッジ調整係数算出手段と、前記輪郭強調信号に前記エッジ調整係数を乗算することにより、前記輪郭強調信号を補正する補正手段と、前記画像信号に前記補正された輪郭強調信号を加算する加算手段と、を有することを特徴とする画像処理装置である。
本発明の第２の態様は、画像の輪郭を強調するための輪郭強調信号を生成する生成手段と、入力された画像信号における低階調値から高階調値への階調値の変化度合い、及び、前記画像信号における高階調値から低階調値への階調値の変化度合いの少なくとも一方に応じて、前記輪郭強調信号を補正する第１の補正手段と、前記補正された輪郭強調信号に基づいて、前記画像信号を補正する第２の補正手段と、を有することを特徴とする画像処理装置である。
【手続補正３】
【補正対象書類名】明細書
【補正対象項目名】０００７
【補正方法】変更
【補正の内容】
【０００７】
本発明の第３の態様は、入力された画像信号に輪郭強調処理を施す画像処理装置により実行される画像処理方法であって、画像の輪郭を強調するための輪郭強調信号を出力する輪郭強調信号出力ステップと、前記画像信号の画素毎に、その画素を注目画素とし、前記注目画素と同じライン上において該注目画素を挟む２つの第１画素の画素値の差分の絶対値を第１差分値として算出する第１差分値算出ステップと、前記注目画素と同じライン上において、前記２つの第１画素の前記注目画素側とは反対の側にそれぞれ位置する２つの第２画素の画素値の差分の絶対値を第２差分値として算出する第２差分値算出ステップと、前記第１差分値から前記第２差分値に基づく値を減算した値をエッジ調整係数として出力するエッジ調整係数算出ステップと、前記輪郭強調信号に前記エッジ調整係数を乗算することにより、前記輪郭強調信号を補正する補正ステップと、前記画像信号に前記補正された輪郭強調信号を加算する加算ステップと、を有することを特徴とする画像処理方法である。
本発明の第４の態様は、画像処理装置により実行される画像処理方法であって、画像の輪郭を強調するための輪郭強調信号を生成する生成ステップと、入力された画像信号における低階調値から高階調値への階調値の変化度合い、及び、前記画像信号における高階調値から低階調値への階調値の変化度合いの少なくとも一方に応じて、前記輪郭強調信号を補正する第１の補正ステップと、前記補正された輪郭強調信号に基づいて、前記画像信号を補正する第２の補正ステップと、を有することを特徴とする画像処理方法である。